(57)【要約】  レガシーステーションとＨＴステーションとが共存する無線ＬＡＮに係り、送信ステーションがフレーム交換シーケンスが行われる間に、媒体が使用中であることを表す情報を含むレガシーフォーマットの物理階層ヘッダをＨＴフォーマットのデータフレームに付加し、物理階層ヘッダが付加されたＨＴフォーマットのデータフレームを、チャンネルボンディングを利用して伝送した後、レガシーフォーマットのＣＦ−ＥＮＤフレームをチャンネルボンディングに使われた複数のチャンネルのそれぞれを通じて同時にブロードキャストすることによって、フレーム交換シーケンスが終了した後、チャンネルボンディングに使われた各単一チャンネルを使用するレガシーステーションは、他のＨＴステーションと公平に媒体使用権限を得るための競争に参与しうる。
2009523352.tif 000002
【特許請求の範囲】
【請求項１】
データ伝送能力が相異なるＨＴ（Ｈｉｇｈ  Ｔｈｒｏｕｇｈｐｕｔ）ステーションとレガシーステーションとが共存する無線ＬＡＮでＨＴフォーマットのデータフレームを伝送する方法において、
前記ＨＴフォーマットのデータフレームに関するフレーム交換シーケンスが行われる間に媒体が使用中であることを表す情報を含むレガシーフォーマットの物理階層ヘッダを、前記ＨＴフォーマットのデータフレームに付加するステップと、
前記レガシーフォーマットの物理階層ヘッダが付加されたＨＴフォーマットのデータフレームをチャンネルボンディングを利用して伝送するステップと、
前記レガシーフォーマットの物理階層ヘッダが付加されたＨＴフォーマットのデータフレーム伝送を完了した後、時間区間が経過すれば、前記情報を認知したＨＴ及びレガシーステーションが前記媒体を使用するために待機する時間を同一にリセットさせるレガシーフォーマットの制御フレームを、前記チャンネルボンディングに使われた複数のチャンネルのそれぞれを通じて別個にブロードキャストするステップと、を含むことを特徴とする方法。
【請求項２】
前記レガシーフォーマットの制御フレームは、ＣＦ（Ｃｏｎｔｅｎｔｉｏｎ  Ｆｒｅｅ）−Ｅｎｄフレームであることを特徴とする請求項１に記載の方法。
【請求項３】
前記情報は、前記レガシーフォーマットの物理階層ヘッダに含まれたＲＡＴＥフィールド値及びＬＥＮＧＴＨフィールド値であることを特徴とする請求項１に記載の方法。
【請求項４】
前記伝送ステップは、帯域幅が２０ＭＨｚである二つのチャンネルが合わせられた４０ＭＨｚの帯域幅を使用して、前記物理階層ヘッダが付加されたＨＴフォーマットのデータフレームを伝送することを特徴とする請求項１に記載の方法。
【請求項５】
前記時間区間は、ＳＩＦＳ（Ｓｈｏｒｔ  Ｉｎｔｅｒｆｒａｍｅ  Ｓｐａｃｅ）であることを特徴とする請求項１に記載の方法。
【請求項６】
前記レガシーステーションは、ＩＥＥＥ  ８０２．１１ａ規格、ＩＥＥＥ  ８０２.１１ｂ規格及びＩＥＥＥ  ８０２.１１ｇ規格のうち少なくとも一つを遵守するステーションであることを特徴とする請求項１に記載の方法。
【請求項７】
データ伝送能力が相異なるＨＴステーションとレガシーステーションとが共存する無線ＬＡＮで、ＨＴフォーマットのデータフレームを伝送する方法を実行するコンピュータプログラムを記録した記録媒体であって、前記方法は、
前記ＨＴフォーマットのデータフレームに関するフレーム交換シーケンスが行われる間に、媒体が使用中であることを表す情報を含むレガシーフォーマットの物理階層ヘッダを前記ＨＴフォーマットのデータフレームに付加するステップと、
前記レガシーフォーマットの物理階層ヘッダが付加されたＨＴフォーマットのデータフレームをチャンネルボンディングを利用して伝送するステップと、
前記レガシーフォーマットの物理階層ヘッダが付加されたＨＴフォーマットのデータフレーム伝送を完了した後、時間区間が経過すれば、前記情報を認知したＨＴ及びレガシーステーションが前記媒体を使用するために待機する時間を同一にリセットさせるレガシーフォーマットの制御フレームを、前記チャンネルボンディングに使われた複数のチャンネルのそれぞれを通じて別個にブロードキャストするステップと、を含むことを特徴とする記録媒体。
【請求項８】
データ伝送能力が相異なるＨＴステーションとレガシーステーションとが共存する無線ＬＡＮでＨＴフォーマットのデータフレームを伝送する装置において、
前記ＨＴフォーマットのデータフレームに関するフレーム交換シーケンスが行われる間に、媒体が使用中であることを表す情報を含むレガシーフォーマットの物理階層ヘッダを前記ＨＴフォーマットのデータフレームに付加するヘッダ挿入部と、
前記物理階層ヘッダが付加されたＨＴフォーマットのデータフレームをチャンネルボンディングを利用して伝送し、前記伝送が完了した後、時間区間が経過すれば、前記情報を認知したステーションが前記媒体を使用するために待機する時間を同一にリセットさせるレガシーフォーマットの制御フレームを、前記チャンネルボンディングに使われた複数のチャンネルのそれぞれを通じて別個にブロードキャストするフレーム伝送部と、を備えることを特徴とする装置。
【請求項９】
前記制御フレームは、ＣＦ−Ｅｎｄフレームであることを特徴とする請求項８に記載の装置。
【請求項１０】
前記情報は、前記レガシーフォーマットの物理階層ヘッダに含まれたＲＡＴＥフィールド値及びＬＥＮＧＴＨフィールド値であることを特徴とする請求項８に記載の装置。
【請求項１１】
前記伝送部は、帯域幅が２０ＭＨｚである二つのチャンネルが合わせられた４０ＭＨｚの帯域幅を使用して、前記物理階層ヘッダが付加されたＨＴフォーマットのデータフレームを伝送することを特徴とする請求項８に記載の装置。
【請求項１２】
前記時間区間は、ＳＩＦＳであることを特徴とする請求項８に記載の装置。
【請求項１３】
前記レガシーステーションは、ＩＥＥＥ  ８０２.１１ａ規格、ＩＥＥＥ  ８０２.１１ｂ規格及びＩＥＥＥ  ８０２.１１ｇ規格のうち少なくとも一つを遵守するステーションであることを特徴とする請求項８に記載の装置。
【発明の詳細な説明】
【技術分野】
【０００１】
本発明は、無線ＬＡＮ（Ｗｉｒｅｌｅｓｓ  ＬＡＮ：ＷＬＡＮ）に係り、さらに詳細には、ＨＴ（Ｈｉｇｈ  Ｔｈｒｏｕｇｈｐｕｔ）ステーションとＩＥＥＥ  ８０２.１１レガシーステーションとが共存するＷＬＡＮでのＣＳＭＡ／ＣＡ（Ｃａｒｒｉｅｒ  Ｓｅｎｓｉｎｇ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）方法に関する。
【背景技術】
【０００２】
ＷＬＡＮ環境では、ＣＳＭＡ／ＣＡ方式のＭＡＣ（Ｍｅｄｉｕｍ  Ａｃｃｅｓｓ  Ｃｏｎｔｒｏｌ）を使用する。
【０００３】
ＣＳＭＡ／ＣＡ方式は、キャリアセンシングのために物理的キャリアセンシングと仮想キャリアセンシングとの方法を同時に使用するが、物理的キャリアセンシングは、ＰＨＹ（Ｐｈｙｓｉｃａｌ  Ｌａｙｅｒ）で特定値以上の受信電力感知如何を把握して、ＭＡＣに媒体が＜Ｂｕｓｙ＞または＜Ｉｄｌｅ＞を知らせてキャリアをセンシングする技法であり、仮想キャリアセンシングは、受信されたＰＰＤＵ（ＰＨＹ  Ｐｒｏｔｏｃｏｌ  Ｄａｔａ  Ｕｎｉｔ）で正確にＭＰＤＵ（ＭＡＣ  Ｐｒｏｔｏｃｏｌ  Ｄａｔａ  Ｕｎｉｔ）を抽出できる場合、このＭＰＤＵのヘッダフィールドのうち一つである＜Ｄｕｒａｔｉｏｎ／ＩＤ＞ｆｉｅｌｄを解釈して、媒体が使われると予約された時間に、仮想で媒体が＜Ｂｕｓｙ＞と見なす技法である。ステーションは、これらの２つのキャリアセンシング技法を利用して、媒体の＜Ｂｕｓｙ＞如何を把握し、＜Ｂｕｓｙ＞な期間には、媒体にアクセスしない。
【０００４】
図１Ａに示したように、一般的なＩＥＥＥ  ８０２.１１ＷＬＡＮで伝送されるデータフレームのＭＡＣヘッダには、データフレームが伝送された後、それに対する受信確認フレームであるＡＣＫ（Ａｃｋｎｏｗｌｅｄｇｅｍｅｎｔ）フレームが受信されるまでの時間である＜ｄｕｒａｔｉｏｎ＞情報が含まれ、このようなフレームを受信したステーションは、ＭＡＣヘッダを解釈して、＜ｄｕｒａｔｉｏｎ＞時間には媒体接近を試みずに衝突が起きない。無線媒体の特性上、たとえ伝送されたフレームが特定ステーションに送られるものであっても、ＷＬＡＮ内の全てのステーションは、そのフレームを感知し、＜ｄｕｒａｔｉｏｎ＞情報を認知できるためである。
【０００５】
このように、仮想キャリアセンシングは、ＭＰＤＵ／ＰＳＤＵ（ＭＡＣ  Ｐｒｏｔｏｃｏｌ  Ｄａｔａ  Ｕｎｉｔ／ＰＨＹ  Ｓｅｒｖｉｃｅ  Ｄａｔａ  Ｕｎｉｔ）がエラーなしに正常的に解釈されてはじめて、正確なＣＳＭＡ／ＣＡメカニズムが可能である。すなわち、媒体を使用しようとするステーションがデータフレームのＭＡＣヘッダ値を正常的に読み込んではじめて、仮想キャリアセンシングが可能になる。
【０００６】
しかし、発信側ステーションが高速の伝送データ率（Ｔｘ  Ｒａｔｅ）を使用してフレームを伝送した時やチャンネル状態が不安でエラーが発生した時、または受信側ステーションで該当データ速度を処理できない場合には、受信されたＭＰＤＵ／ＰＳＤＵを解釈できないので、仮想キャリアセンシングが不可能であるので、ＣＳＭＡ／ＣＡ方式が非効率的に動作するという問題が発生する。したがって、ＷＬＡＮ内にＩＥＥＥ  ８０２.１１ａ、ｂ、ｇ規格によるレガシーステーションやＭＩＭＯ（Ｍｕｌｔｉ  Ｉｎｐｕｔ  Ｍｕｌｔｉ  Ｏｕｔｐｕｔ）ステーションやチャンネルボンディング技術を使用するステーションのように、既存のレガシーステーションより向上したデータ伝送能を有するＨＴステーションが共存する場合、ＨＴステーションによってＨＴフォーマットのフレームが伝送されれば、これを受信したレガシーステーションは、ＨＴフォーマットのフレームを解釈できないので、仮想キャリアセンシングを正確に行われないという問題が発生する。
【０００７】
一方、図１Ｂでは、ＩＥＥＥ  ８０２.１１ａで使われるデータフレームの構造を示したが、図１Ｂに示したように、物理階層ヘッダのＳＩＧＮＡＬ  Ｆｉｅｌｄには、ＲＡＴＥとＬＥＮＧＴＨとの情報が含まれているので、これを解釈すれば、Ｄｕｒａｔｉｏｎ情報を予測できて媒体使用に対する衝突を防止しうる。
【０００８】
現在標準化が進行中であるＩＥＥＥ ８０２.１１ｎでは、図２に示したように、ＷＬＡＮにＨＴステーションとレガシーステーションとが共存する場合、レガシーステーションが理解できるようにＨＴフォーマットのデータフレームにレガシーフォーマットの物理階層（ＰＨＹ）ヘッダ（Ｌ−Ｐｒｅａｍｂｌｅ,Ｌ−ＳＩＧ）を付加し、Ｌ−ＳＩＧフィールドにＬ−ＳＩＧフィールド以後からＡＣＫフレームを受信完了するまでの時間を記録する方法が提案された。
【０００９】
すなわち、レガシーステーションがＨＴフォーマットのフレームを受信した場合、レガシーフォーマットのＰＨＹヘッダに含まれたＲＡＴＥフィールド値とＬＥＮＧＴＨフィールド値とを認知できるので、ＨＴフォーマットのＭＡＣヘッダを解釈できなくても、＜ｄｕｒａｔｉｏｎ＞に該当する期間に媒体が使用中であると判断できて衝突を防止しうる。以下では、このように、ＨＴフォーマットのデータフレームに付加されたレガシーフォーマットのＬ−ＳＩＧフィールドのうち、ＲＡＴＥフィールド値とＬＥＮＧＴＨフィールド値とによって特定される時間区間をＬＴＰＰ（Ｌ−ＳＩＧ  Ｔｘ  Ｏｐｐｏｒｔｕｎｉｔｙ  Ｐｒｏｔｅｃｔｉｏｎ  Ｐｅｒｉｏｄ）と称す。
【００１０】
一方、ＬＴＰＰメカニズムを使用する場合、媒体使用に対する衝突は防止できるが、媒体使用権限を得るための競争において、ステーション間の不公平が発生するが、これを、図３を参照して説明する。
【００１１】
図３に示したように、ＬＴＰＰメカニズムを使用する場合、レガシーステーションは、ＰＨＹヘッダを解釈できても、それ以後、すなわち、ＨＴフォーマットのデータフレームに該当する部分は解釈できないため、エラーが発生し、ＰＨＹ（Ｂａｓｅｂａｎｄ）レイヤは、ＭＡＣレイヤにエラーが発生したことを知らせる。
【００１２】
エラーが発生したことを知らせる時点は、ＬＴＰＰが終わる時点であるが、この時からレガシーステーションは、ＨＴステーションより長い時間を待機した後に、媒体使用権限を得るための競争に参与する。レガシーステーションがＨＴフォーマットのフレームを解釈できなくてエラーが発生した場合、レガシーステーションは、ＨＴステーションと異なり、ＤＩＦＳ（ＤＣＦ  Ｉｎｔｅｒ  ＦｒａｍｅＳｐａｃｅ、ＩＥＥＥ  ８０２.１１ａの場合、３４ｕｓ）ではないＥＩＦＳ（Ｅｘｔｅｎｄｅｄ  Ｉｎｔｅｒ  Ｆｒａｍｅ  Ｓｐａｃｅ、ＩＥＥＥ  ８０２.１１ａの場合、９４ｕｓ）の時間ほど休み、バックオフを開始するためである。したがって、結局、レガシーステーションは、媒体使用権限を得るための競争において、他のＨＴステーションに比べて不利になる問題が発生する。
【発明の開示】
【発明が解決しようとする課題】
【００１３】
本発明は、レガシーステーションとＨＴステーションとが共存するＷＬＡＮでＨＴステーションがＨＴフォーマットのデータフレームを伝送する場合にも、レガシーステーションが媒体使用権限を得るための競争に公平に参加可能にする方法及びそのための装置を提供することを目的とする。
【課題を解決するための手段】
【００１４】
このような目的を達成するための本発明は、データ伝送能が相異なるＨＴステーションとレガシーステーションとが共存するＷＬＡＮでＨＴフォーマットのデータフレームを伝送する方法において、前記ＨＴフォーマットのデータフレームに関するフレーム交換シーケンスが行われる間に、媒体が使用中であることを表す情報を含むレガシーフォーマットの物理階層ヘッダを前記ＨＴフォーマットのデータフレームに付加するステップと、前記レガシーフォーマットの物理階層ヘッダが付加されたＨＴフォーマットのデータフレームをチャンネルボンディングを利用して伝送するステップと、前記レガシーフォーマットの物理階層ヘッダが付加されたＨＴフォーマットのデータフレーム伝送を完了した後、時間区間が経過すれば、前記情報を認知したＨＴ及びレガシーステーションが前記媒体を使用するために待機する時間を同一にリセットさせるレガシーフォーマットの制御フレームを、前記チャンネルボンディングに使われた複数のチャンネルのそれぞれを通じて別個にブロードキャストするステップと、を含むことを特徴とする。
【００１５】
ここで、前記制御フレームは、ＣＦ−Ｅｎｄフレームとなり、前記情報は、前記レガシーフォーマットの物理階層ヘッダに含まれたＲＡＴＥフィールド値及びＬＥＮＧＴＨフィールド値となりうる。また、前記時間区間は、ＳＩＦＳ（Ｓｈｏｒｔ  Ｉｎｔｅｒｆｒａｍｅ  Ｓｐａｃｅ）であることが望ましい。
【００１６】
前記伝送ステップは、帯域幅が２０ＭＨｚである二つのチャンネルが合わせられた４０ＭＨｚの帯域幅を使用して、前記物理階層ヘッダが付加されたＨＴフォーマットのデータフレームを伝送するステップでありうる。
【００１７】
また、本発明は、前記データフレーム伝送方法をコンピュータで実行させるための方法を記録したコンピュータで読み取り可能な記録媒体を提供する。
【００１８】
また、本発明は、データ伝送能が相異なるＨＴステーションとレガシーステーションとが共存するＷＬＡＮでＨＴフォーマットのデータフレームを伝送する装置において、前記ＨＴフォーマットのデータフレームに関するフレーム交換シーケンスが行われる間に、媒体が使用中であることを表す情報を含むレガシーフォーマットの物理階層ヘッダを、前記ＨＴフォーマットのデータフレームに付加するヘッダ挿入部と、前記物理階層ヘッダが付加されたＨＴフォーマットのデータフレームをチャンネルボンディングを利用して伝送し、前記伝送が完了した後、時間区間が経過すれば、前記情報を認知したステーションが前記媒体を使用するために待機する時間を同一にリセットさせるレガシーフォーマットの制御フレームを、前記チャンネルボンディングに使われた複数のチャンネルのそれぞれを通じて別個にブロードキャストするフレーム伝送部と、を備えることを特徴とする。
【００１９】
このとき、前記制御フレームは、ＣＦ−Ｅｎｄフレームとなりうる。
【発明の効果】
【００２０】
本発明によれば、レガシーステーションとＨＴステーションとが共存するＷＬＡＮでＨＴステーションがチャンネルボンディングを使用してＨＴフォーマットのデータフレームを伝送する場合にも、チャンネルボンディングに使われた各単一チャンネルを使用するレガシーステーションは、他のＨＴステーションと公平に媒体使用権限を得るための競争に参与しうる。
【発明を実施するための最良の形態】
【００２１】
以下で、添付された図面を参照して、本発明の望ましい実施形態を詳細に説明する。
【００２２】
図４は、ＬＴＰＰメカニズムを使用する場合、ステーションが媒体を使用するために公平に競争可能にする方法を説明するための図である。
【００２３】
ＣＦ−Ｅｎｄフレームは、データフレームの伝送に必要な時間であるＴｘＯＰ（Ｔｒａｎｓｍｉｓｓｉｏｎ  Ｏｐｐｏｒｔｕｎｉｔｙ）をＲＴＳ／ＣＴＳフレーム交換を通じて確保した送信ステーションが、ＴｘＯＰがまだ残っているにも拘わらず、それ以上伝送するフレームがない時に残りのＴｘＯＰを返還するためのメッセージであって、ＣＦ−Ｅｎｄを受信したステーションは、媒体が使用可能になったということを知ることとなる。図４に示したように、送信ステーションは、ＨＴフォーマットのデータフレームに対するＡＣＫフレームを受信した後、ＳＩＦＳ（Ｓｈｏｒｔ  Ｉｎｔｅｒｆｒａｍｅ  Ｓｐａｃｅ）が経過すれば、レガシーフォーマットのＣＦ−Ｅｎｄフレームをブロードキャストする。
【００２４】
前述したように、ＣＦ−Ｅｎｄフレームは、媒体が使用可能であることを表すメッセージであるので、ＣＦ−Ｅｎｄフレームを受信したＨＴステーション及びレガシーステーションは、何れも同一に自身のＮＡＶ（Ｎｅｔｗｏｒｋ  Ａｌｌｏｃａｔｉｏｎ  Ｖｅｃｔｏｒ）タイマーをリセットして、媒体使用権限を得るための競争に公平に参与する。
【００２５】
一方、ＨＴステーションがチャンネルボンディング技術を使用してＨＴフォーマットのデータフレームを伝送する場合、ＣＦ−Ｅｎｄフレームは、単一チャンネルのそれぞれを通じてブロードキャストされねばならないが、図５に、これを示した。
【００２６】
一般的に、ＩＥＥＥ  ８０２.１１レガシーステーションは、２０ＭＨｚの帯域幅を有するチャンネルを通じてデータを送受信するが、チャンネルボンディング技術を使用するＨＴステーションは、隣接した二つの単一チャンネルをボンディングして４０Ｈｍｚの帯域幅でデータを伝送しうる。図５に示したように、ＨＴステーションがそれぞれ２０ＭＨｚの帯域幅を有する１番チャンネル及び２番チャンネルをボンディングして４０ＭＨｚ帯域幅を通じてデータフレームを伝送し、それに対する受信確認（ＡＣＫ）フレームを受信してフレーム交換シーケンスが完了した場合、送信ステーションのＨＴステーションは、チャンネルボンディングに使用した１番チャンネル及び２番チャンネルのそれぞれを通じてレガシーフォーマットのＣＦ−Ｅｎｄフレームをブロードキャストせねばならない。ＷＬＡＮには、１番チャンネルを通じて通信するレガシーステーション及び２番チャンネルを通じて通信するレガシーステーションが何れも存在できるためである。
【００２７】
すなわち、もし、送信ステーションがチャンネルボンディングを使用してＣＦ−Ｅｎｄフレームを伝送すれば、両チャンネルに存在するレガシーステーションは、そのＣＦ−Ｅｎｄフレームを解釈できなくなり、もし、何れか一側チャンネルにのみＣＦ−Ｅｎｄフレームを伝送すれば、他の一側チャンネルを使用するレガシーステーションは、媒体が使用可能になったにも拘わらず、ＮＡＶタイマーをリセットできないためである。
【００２８】
図６は、本発明の一実施形態によってデータフレームを伝送する方法を示すフローチャートである。
【００２９】
ＨＴステーションの送信ステーションは、伝送しようとするＨＴフォーマットのデータフレームに関するフレーム交換シーケンスが行われる間に、媒体が使用中であることを表すＬＴＰＰ情報、すなわち、ＲＡＴＥフィールド値及びＬＥＮＧＴＨフィールド値を算出する（７１０）。次いで、生成されたＬＴＰＰ情報をレガシーフォーマットのＰＨＹヘッダに記録し、ＬＴＰＰ情報を含むＰＨＹヘッダを伝送しようとするＨＴフォーマットのデータフレームに付加する（７２０）。
【００３０】
送信ステーションは、レガシーフォーマットのＰＨＹヘッダが付加されたＨＴフォーマットのデータフレームを、チャンネルボンディングを利用して複数の単一チャンネルを通じて伝送する（７３０）。例えば、二つの２０ＭＨｚチャンネルをボンディングして４０ＭＨｚの帯域幅を通じて伝送しうる。
【００３１】
データフレームの伝送及びＡＣＫフレームの受信が完了してフレーム交換シーケンスが終了すれば、送信ステーションは、所定時間が過ぎた後、チャンネルボンディングに使用した各チャンネルを通じてレガシーフォーマットのＣＦ−Ｅｎｄフレームを同時にブロードキャストする（７４０）。必須的ではないが、フレーム交換シーケンスが終了した後、ＳＩＦＳが経過した後、ＣＦ−Ｅｎｄフレームをブロードキャストすることが望ましい。
【００３２】
図７は、本発明の一実施形態によってＨＴフォーマットのデータフレームを伝送するＨＴステーションの構造図である。図７に示したように、本発明の一実施形態によるＨＴステーション８００は、ＬＴＰＰ情報生成部８２０、データフレーム生成部８３０、ＰＨＹヘッダ生成部８１０、ヘッダ挿入部８４０、ＣＦ−ＥＮＤ生成部８６０及び伝送部８５０を備える。
【００３３】
データフレーム生成部８３０は、ＨＴフォーマットのデータフレーム、すなわち、ＭＰＤＵを生成し、ＬＰＴＴ情報生成部は、ＬＴＰＰ情報、すなわち、ＲＡＴＥフィールド及びＬＥＮＧＴＨフィールド値を生成する。
【００３４】
ＰＨＹヘッダ生成部８１０は、ＬＴＰＰ情報生成部８２０で生成したＬＴＰＰ情報を含むレガシーフォーマットのＰＨＹヘッダを生成し、ヘッダ挿入部８４０は、ＰＨＹヘッダ生成部８１０で生成したＰＨＹヘッダをデータフレーム生成部８３０で生成したＨＴフォーマットのデータフレームに付加する。
【００３５】
伝送部８５０は、レガシーフォーマットのＰＨＹヘッダが付加されたＨＴフォーマットのデータフレームをチャンネルボンディングを使用して受信ステーションに伝送する。
【００３６】
ＣＦ−ＥＮＤ生成部８６０では、レガシーフォーマットのＣＦ−ＥＮＤフレームを生成するが、伝送部８５０でチャンネルボンディングに使用したチャンネルの数ほど生成する。一方、伝送部８５０は、ＨＴフォーマットのデータフレームを伝送し、それに対するＡＣＫフレームが受信されてフレーム交換シーケンスが終了すれば、ＳＩＦＳが経過した後、チャンネルボンディングに使用した各チャンネルを通じてＣＦ−ＥＮＤ生成部８６０で生成したＣＦ−ＥＮＤフレームをブロードキャストする。
【００３７】
一方、前述した本発明の実施形態は、コンピュータで実行できるプログラムで作成可能であり、コンピュータで読み取り可能な記録媒体を利用して前記プログラムを動作させる汎用ディジタルコンピュータで具現される。
【００３８】
前記コンピュータで読み取り可能な記録媒体は、マグネチック記録媒体（例えば、ＲＯＭ（リードオンリメモリ）、フロッピー（登録商標）ディスク、ハードディスクなど）、光学的判読媒体（例えば、ＣＤ−ＲＯＭ、ＤＶＤなど）及びキャリアウェーブ（例えば、インターネットを通じた伝送）のような記録媒体を含む。
【００３９】
以上、本発明についてその望ましい実施形態を中心に説明した。当業者は、本発明が本発明の本質的な特性から逸脱しない範囲で変形された形態で具現されるということが分かるであろう。したがって、開示された実施形態は、限定的な観点ではなく、説明的な観点で考慮されねばならない。本発明の範囲は、前述した説明ではなく、特許請求の範囲に現れており、それと同等な範囲内にある全ての差異点は、本発明に含まれていると解釈されねばならない。
【図面の簡単な説明】
【００４０】
【図１Ａ】ＷＬＡＮで衝突を防止するためのデータフレームの構造を示す図である。
【図１Ｂ】ＷＬＡＮで衝突を防止するためのデータフレームの構造を示す図である。
【図２】ＨＴステーションとレガシーステーションとが共存するＷＬＡＮで衝突を防止するためのデータフレームの構造を示す図である。
【図３】ＬＴＰＰメカニズムを使用する場合、ステーションの媒体接近制御方法を説明するための図である。
【図４】ＬＴＰＰメカニズムを使用する場合、ステーションが媒体を使用するために公平に競争可能にする方法を説明するための図である。
【図５】本発明の一実施形態によって、チャンネルボンディングを利用してデータフレームを伝送する場合、ステーションが媒体を使用するために公平に競争可能にする方法を説明するための図である。
【図６】本発明の一実施形態によって、データフレームを伝送する方法を示すフローチャートである。
【図７】本発明の一実施形態によって、データフレームを伝送する装置の構造図である。
【図１Ａ】
2009523352.tif 000003
【図１Ｂ】
2009523352.tif 000004
【図２】
2009523352.tif 000005
【図３】
2009523352.tif 000006
【図４】
2009523352.tif 000007
【図５】
2009523352.tif 000008
【図６】
2009523352.tif 000009
【図７】
2009523352.tif 000010
【国際調査報告】
2009523352.tif 000011
2009523352.tif 000012